(57)【要約】【課題】装置全体を制御する主制御部を除き、主制御機能部への電力供給を停止する省電力状態時に、主制御部への電力供給も停止する最低電力状態へ移行させる機構と、最低電力状態時に復帰要因の発生を検知して最低電力状態から復帰させる機構とを備えることにより、省電力効果をさらに高めた画像形成装置を提供する。【解決手段】ユーザが操作を行う操作表示部、印刷を行う印刷機能部、外部との通信を行う通信機能部、記録媒体制御機能部により制御されて画像や情報を一時的に保存する記録媒体を備えて構成される。前記機能部とは独立して電源が供給される機器外部からの通信をフィルタリングするフィルタリング機能部と、画像形成装置の操作を検知する操作部検知機能部とを有し、省電力状態時に、主制御部への電力供給を停止する最低電力状態へ移行し、前記フィルタリング機能部又は操作部検知機能部が画像形成装置へのアクセスの有無を判定して、復帰が必要とされたとき、電源ＯＦＦの状態から印刷可能な状態へ画像形成装置を復帰させる。【選択図】  図１
2007334304.tif 000002
【特許請求の範囲】
【請求項１】
装置全体を制御する主制御部を除き、主制御機能部内の各機能部への電力供給を停止する省電力状態に設定可能に構成された画像形成装置の省電力制御方法であって、
操作表示部に対するユーザの入力操作が所定の時間以上行われないことを検知して前記画像形成装置を前記省電力状態に設定する手順と、
前記省電力状態時において、前記画像形成装置を、前記主制御部への電力供給を停止する最低電力状態へ移行する移行手順と、
前記主制御機能部とは独立して電力供給され、前記最低電力状態時に外部機器からの通信を監視するフィルター部を、前記最低電力状態への移行前に有効化する手順と、
前記最低電力状態時に、前記フィルター部で検知された通信の内容が外部機器からの画像形成要求であるか否かを判定する判定手順と、
前記判定手順の結果が外部機器からの画像形成要求である場合、前記画像形成装置を前記最低電力状態から前記省電力状態を経て画像形成可能な待機状態へ復帰させる復帰手順と、
を有することを特徴とする画像形成装置の省電力制御方法。
【請求項２】
前記移行手順が、前記画像形成装置の機器構成情報と、接続された外部機器の状態とに基づき、前記最低電力状態への移行の可否を判定する手順を含むことを特徴とする請求項１記載の画像形成装置の省電力制御方法。
【請求項３】
前記最低電力状態への移行ができないと判定された場合、前記画像形成装置の状態をユーザにメールで通知する手順を有することを特徴とする請求項１記載の画像形成装置の省電力制御方法。
【請求項４】
前記最低電力状態への移行ができないと判定された場合、前記画像形成装置の状態を前記操作表示部に表示してユーザに通知する手順を有することを特徴とする請求項１記載の画像形成装置の省電力制御方法。
【請求項５】
前記移行手順が、前記操作表示部の設定画面から予めユーザが行った操作に基づき、前記最低電力状態への移行を許可する操作設定がなされているか否かを判定する手順を含むことを特徴とする請求項１記載の画像形成装置の省電力制御方法。
【請求項６】
前記移行手順が、前記画像形成装置のアプリケーション層のプログラムの動作状態と比較して前記最低電力状態への遷移条件を調停して、遷移条件調停が完了しているか否かを判定する手順を含むことを特徴とする請求項１記載の画像形成装置の省電力制御方法。
【請求項７】
装置全体を制御する主制御部を除き、主制御機能部内の各機能部への電力供給を停止する省電力状態に設定可能に構成された画像形成装置であって、
操作表示部に対するユーザの入力操作が所定の時間以上行われないことを検知して前記画像形成装置を前記省電力状態に設定する手段と、
前記省電力状態時において、前記画像形成装置を、前記主制御部への電力供給を停止する最低電力状態へ移行する移行手段と、
前記主制御機能部とは独立して電力供給され、前記最低電力状態時に外部機器からの通信を監視するフィルター部を、前記最低電力状態への移行前に有効化する手段と、
前記最低電力状態時に、前記フィルター部で検知された通信の内容が外部機器からの画像形成要求であるか否かを判定する判定手段と、
前記判定手段が外部機器からの画像形成要求であると判定した場合に、前記画像形成装置を前記最低電力状態から前記省電力状態を経て画像形成可能な待機状態へ復帰させる復帰手段と、
を有することを特徴とする画像形成装置。
【請求項８】
前記移行手段が、前記画像形成装置の機器構成情報と、接続された外部機器の状態とに基づき、前記最低電力状態への移行の可否を判定する手段を含むことを特徴とする請求項７記載の画像形成装置。
【請求項９】
前記最低電力状態への移行ができないと判定された場合、前記画像形成装置の状態をユーザにメールで通知する手段を有することを特徴とする請求項７記載の画像形成装置。
【請求項１０】
前記最低電力状態への移行ができないと判定された場合、前記画像形成装置の状態を前記操作表示部に表示してユーザに通知する手段を有することを特徴とする請求項７記載の画像形成装置。
【請求項１１】
前記移行手段が、前記操作表示部の設定画面から予めユーザが行った操作に基づき、前記最低電力状態への移行を許可する操作設定がなされているか否かを判定する手段を含むことを特徴とする請求項７記載の画像形成装置。
【請求項１２】
前記移行手段が、前記画像形成装置のアプリケーション層のプログラムの動作状態と比較して前記最低電力状態への遷移条件を調停して、遷移条件調停が完了しているか否かを判定する手段を含むことを特徴とする請求項７記載の画像形成装置。
【発明の詳細な説明】
【技術分野】
【０００１】
本発明は、画像形成装置の省電力制御方法及び画像形成装置に係り、特に、省電力機能を備えるデジタル複写機、アナログ複写機、プリンタ、ＭＦＰ等の画像形成装置の省電力制御方法及び画像形成装置に関する。
【背景技術】
【０００２】
近年、コピー機能、ファックス機能、プリンタ機能等の複数の機能を搭載したマルチファンクション型のデジタル複合機が広く採用されている。このような画像形成装置は、高速ＣＰＵの導入や大容量の記録媒体等の搭載により、複雑な演算処理を行い、様々な画像形成機能が追加される傾向にある。また、画像形成装置のカラー化による制御機器の増大や、画像形成装置に多くの通信機器を搭載する等のユーザの要望に則した機能開発を行う結果、画像形成装置の消費電力が増える傾向がますます高まっている。
【特許文献１】特開２００２−９４７１３号公報
【発明の開示】
【発明が解決しようとする課題】
【０００３】
画像形成装置の省電力制御に関する従来技術として、例えば、特許文献１等に記載された技術が知られている。この従来技術は、画像形成装置の電力消費、コストを低減しながら画像形成装置の使用状況や時間帯に応じて省電力効率と省電力モード時の操作性や復帰時の迅速性のバランスを保ちながら画像形成装置の省電力制御を行う手段を備える画像形成装置を提案している。
【０００４】
上述したように、稼動時における画像形成装置の消費電力が増加していく傾向にある。一方、ユーザからは画像形成装置の消費電力を低く抑えることが要望されている。そのため、ユーザが使用していない待機状態時に、画像形成装置の消費電力を極力抑える工夫を加えることが必要不可欠となってきている。消費電力を抑える手段として、一定時間ユーザの操作が行われない場合に操作部表示をＯＦＦにする機能、ポリゴンモータの回転を止める制御機能、定着温度を下げる制御機能、エンジン部のモータ等の駆動箇所を減らす制御機能、周辺機器の動作を停止する制御機能が画像形成装置に搭載されている。
【０００５】
また、ユーザ側の操作として、エナジースター規格に準拠した低消費電力への移行時間のタイマー設定や、オートオフ／スリープモードへの移行時間のタイマー時間を設定可能にしており、ユーザによる消費電力機能の設定を実現させるユーザインタフェースが搭載されている。省電力状態への移行条件には、省電力移行キーの押下、電源キーの押下、ユーザが設定したタイマーのカウントのタイムアップ等が含まれる。省電力状態からの復帰条件には、アプリケーションによるジョブが動作する場合、電源キーが押下された場合、機器的な構成が変更された場合等がある。
【０００６】
本発明は、このような問題点に鑑みてなされたものであり、装置全体を制御する主制御部を除く、主制御機能部への電力供給を停止する省電力状態時に、主制御部への電力供給も停止する最低電力状態へ移行させる機構と、最低電力状態時に復帰要因の発生を検知して最低電力状態から復帰させる機構とを備えることにより、省電力効果をさらに高めた画像形成装置の省電力制御方法及び画像形成装置を提供することを目的とする。
【課題を解決するための手段】
【０００７】
上記の課題を解決するため、本発明に係る画像形成装置の省電力制御方法は、装置全体を制御する主制御部を除き、主制御機能部内の各機能部への電力供給を停止する省電力状態に設定可能に構成された画像形成装置の省電力制御方法であって、操作表示部に対するユーザの入力操作が所定の時間以上行われないことを検知して前記画像形成装置を前記省電力状態に設定する手順と、前記省電力状態時において、前記画像形成装置を、前記主制御部への電力供給を停止する最低電力状態へ移行する移行手順と、前記主制御機能部とは独立して電力供給され、前記最低電力状態時に外部機器からの通信を監視するフィルター部を、前記最低電力状態への移行前に有効化する手順と、前記最低電力状態時に、前記フィルター部で検知された通信の内容が外部機器からの画像形成要求であるか否かを判定する判定手順と、前記判定手順の結果が外部機器からの画像形成要求である場合、前記画像形成装置を前記最低電力状態から前記省電力状態を経て画像形成可能な待機状態へ復帰させる復帰手順とを有することを特徴とする。
【０００８】
また、上記の省電力制御方法は、前記移行手順が、前記画像形成装置の機器構成情報と、接続された外部機器の状態とに基づき、前記最低電力状態への移行の可否を判定する手順を含むように構成することができる。
【０００９】
また、上記の省電力制御方法は、前記最低電力状態への移行ができないと判定された場合、前記画像形成装置の状態をユーザにメールで通知する手順を有するように構成することができる。
【００１０】
また、上記の省電力制御方法は、前記最低電力状態への移行ができないと判定された場合、前記画像形成装置の状態を前記操作表示部に表示してユーザに通知する手順を有するように構成することができる。
【００１１】
また、上記の省電力制御方法は、前記移行手順が、前記操作表示部の設定画面から予めユーザが行った操作に基づき、前記最低電力状態への移行を許可する操作設定がなされているか否かを判定する手順を含むように構成することができる。
【００１２】
また、上記の省電力制御方法は、前記移行手順が、前記画像形成装置のアプリケーション層のプログラムの動作状態と比較して前記最低電力状態への遷移条件を調停して、遷移条件調停が完了しているか否かを判定する手順を含むように構成することができる。
【００１３】
さらに、上記の課題を解決するため、本発明に係る画像形成装置は、装置全体を制御する主制御部を除き、主制御機能部内の各機能部への電力供給を停止する省電力状態に設定可能に構成された画像形成装置であって、操作表示部に対するユーザの入力操作が所定の時間以上行われないことを検知して前記画像形成装置を前記省電力状態に設定する手段と、  前記省電力状態時において、前記画像形成装置を、前記主制御部への電力供給を停止する最低電力状態へ移行する移行手段と、前記主制御機能部とは独立して電力供給され、前記最低電力状態時に外部機器からの通信を監視するフィルター部を、前記最低電力状態への移行前に有効化する手段と、前記最低電力状態時に、前記フィルター部で検知された通信の内容が外部機器からの画像形成要求であるか否かを判定する判定手段と、前記判定手段が外部機器からの画像形成要求であると判定した場合に、前記画像形成装置を前記最低電力状態から前記省電力状態を経て画像形成可能な待機状態へ復帰させる復帰手段とを有することを特徴とする。
【００１４】
また、上記の画像形成装置は、前記移行手段が、前記画像形成装置の機器構成情報と、接続された外部機器の状態とに基づき、前記最低電力状態への移行の可否を判定する手段を含むように構成することができる。
【００１５】
また、上記の画像形成装置は、前記最低電力状態への移行ができないと判定された場合、前記画像形成装置の状態をユーザにメールで通知する手段を有するように構成することができる。
【００１６】
また、上記の画像形成装置は、前記最低電力状態への移行ができないと判定された場合、前記画像形成装置の状態を前記操作表示部に表示してユーザに通知する手段を有するように構成することができる。
【００１７】
また、上記の画像形成装置は、前記移行手段が、前記操作表示部の設定画面から予めユーザが行った操作に基づき、前記最低電力状態への移行を許可する操作設定がなされているか否かを判定する手段を含むように構成することができる。
【００１８】
また、上記の画像形成装置は、前記移行手段が、前記画像形成装置のアプリケーション層のプログラムの動作状態と比較して前記最低電力状態への遷移条件を調停して、遷移条件調停が完了しているか否かを判定する手段を含むように構成することができる。
【発明の効果】
【００１９】
本発明によれば、省電力状態時に主制御部への電力供給を停止する最低電力状態へ移行させる機構と、最低電力状態時に復帰要因を検知して最低電力状態から復帰させる機構とを備えることにより、省電力効果をさらに高めた省電力制御方法及び画像形成装置を提供することができる。
【発明を実施するための最良の形態】
【００２０】
以下、本発明の実施の形態について図面を用いて説明する。
【００２１】
図１は、本発明の一実施形態に係る画像形成装置の構成を示すブロック図である。図１の画像形成装置１００は、プリンタ、スキャナ、ファックス、コピー等の各種画像形成機能を備える複合機（ＭＦＰ）であり、ユーザからの要求に応じていずれかの画像形成機能を実行することが可能である。図１に示すように、画像形成装置１００は、画像形成装置１００全体を制御するコントローラ１０７を含む主制御機能部１５０を備える。
【００２２】
図１の画像形成装置１００は、複数の画像形成機能を実現するための複数のアプリケーションを備えている。図１の構成例では、複数のアプリケーションの代表として、アプリケーションＡ１０１、アプリケーションＢ１０２を示している。各アプリケーションＡ１０１、Ｂ１０２は、ＡＰＩ（Application Programming Interface）１０４を介してコントローラ１０７と通信を行い各種情報の送受信を行う。
【００２３】
図１の画像形成装置１００には、記憶装置としてＨＤＤ（Hard Disk Drive）１１２が設けられている。ＨＤＤ１１２は、ＨＤＤ制御部１１０によりドライバ１１１を介して制御される。また、画像を印刷するための印刷機能、画像を読み取るためのスキャナ機能を実現するユニットとして、プロッタエンジン１１４、スキャナエンジン１１５が設けられている。プロッタエンジン１１４、スキャナエンジン１１５は、ドライバ１１３を介してエンジン制御部１０９により制御される。
【００２４】
また、図１の画像形成装置１００には、ユーザが使用する操作表示部１０３が設けられている。操作表示部１０３は、操作・表示の制御機能を実現するユニットとしての操作表示部制御部１０８によりドライバ１０６を介して制御される。操作表示部制御部１０８は、コントローラ１０７と通信を行い、操作表示部１０３の表示に関する情報を送受信する。また、操作部表示制御部１０８は、ライブラリ１０５を介して、アプリケーションＡ１０１、アプリケーションＢ１０２とも通信を行い、操作表示部１０３の表示に関する情報を送受信する。
【００２５】
コントローラ１０７は、画像形成装置１００全体を制御する主制御部であり、ＨＤＤ１１２の電源状態管理、ＨＤＤ制御部１１０、エンジン１１４、１１５の電源状態管理、エンジン省電力状態管理、エンジン制御の包括的なシステムとしての制御を行う。また、コントローラ１０７は、アプリケーションＡ１０１、アプリケーションＢ１０２の動作状態やエンジン１１４、１１５の動作状態に従って、ユーザに対し動作状況や画像形成装置の設定情報を表示するための操作表示部１０３と、操作表示部１０３を制御している操作表示部制御部１０８の状態の制御を行う。
【００２６】
ここで、上述した画像形成装置１００の各種機能を制御する上記機能部１０１−１１５（コントローラ１０７を含む）から構成される画像形成装置１００の機能ブロックを主制御機能部１５０という。
【００２７】
図１の画像形成装置においては、一定時間ユーザの操作が行われない場合、あるいは、操作表示部１０３からユーザによる省電力状態への移行指示が入力された場合に、操作表示部１０３の表示を停止する機能、ポリゴンモータの回転を停止する制御機能、定着温度を下げる制御機能、画像形成装置本体のモータ等の駆動箇所を減らす制御機能、周辺機器動作を行わせないようにする等の主な制御機能への電力供給を停止する最低電力状態への移行を行って消費電力を抑えるようにしている。
【００２８】
また、図１の画像形成装置において、フィルター１１７は、主制御機能部１５０の電力供給系統とは独立した別の電力供給系統から電力供給を受けている。フィルター１１７の出力側の端子は、ドライバ１１６を介してコントローラ１０７に接続されている。図１の画像形成装置がＮＩＣ等のネットワークインターフェイス部（図示なし）を備えることにより、ＬＡＮ等のネットワーク上の外部機器と接続可能に構成することができる。フィルター１１７の入力側の端子（図示なし）は、このインターフェース部に接続されている。この実施形態において、省電力状態から最低電力状態への移行時に、フィルター１１７及びドライバ１１６はアクティブ状態に設定される。
【００２９】
フィルター１１７は、最低電力状態時に、継続的に電力供給を受けながらアクティブ状態にあり、画像形成装置１００と外部機器間の通信を常に監視する機能を有する。最低電力状態時に、フィルター１１７に登録された通信プロトコルによる通信（パケット）を検知すると、フィルター１１７は、画像形成装置１００内の図示しないサブシステム（後述する）に対し、最低電力状態から復帰するトリガーを通知する。上記のサブシステムがこのトリガーを受け取り、そのトリガーが復帰条件を満足すると判定した場合、画像形成装置１００を最低電力状態から復帰させるため、電源制御部（後述する）の制御を介しコントローラ１０７やエンジン制御部１０９への電力供給を再開する。さらに、コントローラ１０７は、この電源制御部の制御を介しＨＤＤ制御部１１０や操作表示部制御部１０８への電力供給を再開させる。
【００３０】
フィルター１１７で検知した通信（パケット）の内容（ＩＯポート番号）は監視タスクによって判定され、その判定結果に応じて最低電力状態から復帰を行うことができるように、コントローラ１０７は、監視タスクからの復帰情報通知を受信し、この通知を受信後、画像形成装置１００の動作状態を印刷動作が可能な待機状態へ移行させる。
【００３１】
なお、省電力状態又は最低電力状態からの復帰は、画像形成装置１００の操作表示部１０３へのユーザの入力操作が行われた場合にも、上記のサブシステムの応答監視部の検知により実行される。この復帰処理手順については、後述する。
【００３２】
図１の画像形成装置１００において、スキャナエンジン１１５は、省電力状態からの復帰後に、原稿読み取り開始要求を受けて読み取られた原稿の画像をデジタル画像情報に変換し、その画像情報をコントローラ１０７に送信する。画像情報を受け取ったコントローラ１０７は、受け取った画像の蓄積や一時保存が必要な場合、ＨＤＤ制御部１１０を介してＨＤＤ１１２にその画像情報を蓄積する。また、コントローラ１０７は、画像の蓄積や一時保存を行わずに印刷を行う場合、前記画像をプロッタエンジン１１４に送信して順次印刷を行っていく。
【００３３】
図６は、図１の画像形成装置の動作状態を遷移させる状態遷移条件を説明するための図である。
【００３４】
図６に示したように、図１の画像形成装置１００の動作状態は、待機状態と、低電力状態と、省電力状態と、最低電力状態とから構成される。図６において、待機状態は、ユーザによる画像形成動作（例えば、印刷動作）が実行可能な、画像形成装置１００の通常の動作状態であり、待機状態時に状態遷移要因Ｆ１（タイマーカウントのタイムアップ等）又は状態遷移要件Ｆ２（ユーザによるキー操作等）が発生すると、画像形成装置１００の動作状態は低電力状態又は省電力状態に移行する。低電力状態又は省電力状態時に状態遷移要因Ｆ３（キー操作、ネットワーク応答等）が発生すると、画像形成装置１００の動作状態は待機状態に復帰する。低電力状態時に状態遷移要因Ｆ１（タイマーカウントのタイムアップ等）が発生すると、画像形成装置１００の動作状態は消費電力の低い省電力状態に移行する。省電力状態時に、状態遷移要因Ｆ３（キー操作、ネットワーク応答等）が発生すると、画像形成装置１００の動作状態は待機状態に復帰する。省電力状態時に状態遷移要因Ｆ４（内部タイマーカウントのタイムアップ等）が発生すると、画像形成装置１００の動作状態は消費電力が更に低い最低電力状態に移行する。一方、最低電力状態時に状態遷移要因Ｆ３（キー操作、ネットワーク応答等）が発生すると、画像形成装置１００の動作状態は省電力状態又は待機状態に復帰する。このときの状態遷移要因Ｆ３が印刷要求等である場合、画像形成装置１００の動作状態は、最低電力状態から省電力状態を経て、印刷動作が可能な待機状態にまで復帰する。
【００３５】
図１の画像形成装置１００では、電源制御等を実行するサブシステムとしてのＡＳＩＣ（図示なし）が、フィルター１１７及びドライバ１１６と共に、最低電力状態からの復帰の制御を行う。最低電力状態時においても、上記のサブシステムは、フィルター１１７及びドライバ１１６と共に、通電状態にしておく。すなわち、最低電力状態時には、上記のサブシステムにおける、電源制御を行う電源制御部、及び外部入力（例えば、ユーザの入力操作や、外部機器が接続した通信インターフェース経由の入力）に対する応答及び監視を行う応答監視部を除き、主制御機能部１５０の他の部分（コントローラ１０７を含む）への電力供給が停止されている。
【００３６】
上記のサブシステムは内部にＣＰＵを有し、最低電力状態時に、上記サブシステムの電源制御部及び応答・監視部の動作は、図１の画像形成装置１００に組み込んだＯＳ上のタスクとして実現されるソフトウェアによって制御される。例えば、上記サブシステムのソフトウェアは、電源制御タスク、通信ドライバタスク、フィルタータスク、ＵＳＢ応答タスク、操作表示部タスク、入出力ポートタスク、タイマータスク等から構成される。画像形成装置１００の電源スイッチがＯＮされると、上記サブシステムは起動され、各タスクが初期化される。最低電力状態時に、上記サブシステムは通電状態に維持されアクティブ状態に設定されるため、応答監視部は継続して外部入力に対する応答・監視動作を行っている。従って、最低電力状態時に、上記サブシステムの各タスクは、対応するＡＳＩＣの部分を監視し、監視結果が復帰条件を満たす場合に、電源制御部の制御を介して、画像形成装置１００を最低電力状態から復帰させることができる。
【００３７】
図１の画像形成装置１００において、動作状態が省電力状態から最低電力状態に移行する際に実行される移行処理手順、及び最低電力状態から省電力状態に復帰する際に実行される復帰処理手順については、図４及び図５を用いて後述する。
【００３８】
図２は、図１の画像形成装置における操作表示部１０３の構成を示す図である。
【００３９】
ユーザは、通常の印刷動作を行わせる場合、テンキー２０４を操作して印刷部数等を設定する。また、ユーザは、印刷モード選択キー２０５を操作して所望の詳細な動作設定を行うことができる。このような設定の後、ユーザがスタートキー２０３を押下すると、アプリケーションが動作を開始する。このときの動作状況等は、パネル表示部２０２やバナー表示部２０６に、動作中のアプリケーションやコントローラからの情報がユーザに対して表示される。
【００４０】
また、アプリケーションの切り替えを行うためには、アプリケーション切り換えキー２０７を押下して切り換えることができる。各アプリケーションとアプリケーション切り換えキー２０７は１対１で対応がなされている。
【００４１】
画像形成装置１００が省電力状態に移行したとき、その省電力の遷移状態によってユーザに対して表示を行う。省電力キー２０８のＬＥＤは、画像形成装置が省電力状態へ移行する省電力遷移状態を表示する。また、省電力キー２０８は、省電力状態へ移行させる移行キーの機能を備えている。この省電力キー２０８以外にも、コントローラ１０７内でカウントしているタイマーのカウント値が所定値を越えた場合や、画像形成装置の電源キー２０１の押下によっても、画像形成装置を省電力状態へ移行させられる。
【００４２】
図３は、ユーザが省電力動作の設定入力を行う際に、操作表示部１０３に表示される省電力動作設定画面の一例を示す図である。
【００４３】
ユーザが、操作表示部１０３における画像形成装置の設定画面を開くと、図３に示すように、各種設定可能な項目が機能別のタグ毎に表示される。複数表示されるタグから、省電力動作設定に関するタグを選択してから省電力優先切替に関する項目を選択することにより、この省電力設定画面３０１が表示される。
【００４４】
ユーザは、この省電力設定画面３０１を用いて、省電力動作に関する各種の設定を行うことができる。図３の例では、省電力状態時に、コントローラ１０７への電力供給を停止する最低電力状態へ遷移することを許可又は禁止する操作設定を、最低電力設定３０２の表示部分から設定することができる。また、ユーザの要望に応じた省電力優先の設定をするか、接続されているデバイスの有効・無効を設定することにより省電力復帰時間の短縮を行うかの選択の設定を、設定優先３０３の表示部分から設定することができる。
【００４５】
例えば、接続されているデバイスが無線ＬＡＮデバイスであって、ユーザが無線ＬＡＮデバイスの動作を優先したい場合には、このデバイスを有効に設定する。この場合には、最低電力状態への遷移が行われないため、省電力復帰時間が短縮される。通常、コントローラ１０７への電力供給を停止した後に、最低電力状態から復帰するまでにはある程度の待機時間を要する。また、接続されているデバイスがＵＳＢデバイス（ＵＳＢメモリや外部プリンタ）である場合も同様に、省電力優先の設定を行うか、あるいはＵＳＢデバイスの動作を優先する設定を行うかをユーザの要望に応じて設定優先３０３の表示部分から選択することができる。
【００４６】
図３の例では、上記の２種類の設定（最低電力設定３０２と設定優先３０３）についてのみ説明したが、上記以外の省電力動作に関する設定を行うこともできる。例えば、画像形成装置１００が、遠隔地のセンターシステムとネットワークを介して接続されており、定期的にセンターシステムと通信を行う遠隔管理サービスを実行する機能を備える場合に、省電力優先の設定を行うか、あるいは遠隔管理サービスを優先する設定を行うかを選択することができる。
【００４７】
図４は、図１の画像形成装置を省電力状態から最低電力状態へ移行させる際に実行される移行処理手順を説明するためのフローチャートである。
【００４８】
図４に示した移行処理手順では、省電力状態時に、最低電力状態への移行要求（省電力キー２０８の押下や、画像形成装置が所定の時間以上不使用の場合）が発生した場合、コントローラ１０７は、ユーザ設定が最低電力状態への移行を許可する設定であるか否かを判定する（ステップ４０１）。このステップ４０１の判定は、図３の最低電力設定３０２の表示部分から予めユーザが行ったユーザ設定に基づいて、ユーザが最低電力状態へ移行することを許可する操作設定をしているか、禁止する操作設定をしているかを判定する。
【００４９】
ステップ４０１の判定結果が最低電力状態へ移行することを禁止する操作設定である場合、画像形成装置１００を最低電力状態へ移行できないため、コントローラ１０７は、図４の移行処理手順を終了する。
【００５０】
一方、ステップ４０１の判定結果が最低電力状態へ移行することを許可する操作設定である場合、コントローラ１０７は、画像形成装置１００の機器構成情報と、接続されている外部機器の状態とをチェックする処理を行う（ステップ４０３）。画像形成装置１００の機器構成情報と接続されている外部機器の状態とのチェック結果に基づき、コントローラ１０７は、コントローラ１０７への電力供給も停止する最低電力状態への遷移が可能か否かを判定する（ステップ４０４）。
【００５１】
例えば、画像形成装置１００の機器構成情報が、定期的に外部と通信を行うことが必要な機器（無線ＬＡＮデバイスやＵＳＢデバイス等）が接続されていることを示す場合、最低電力状態へ移行しても直ちに省電力状態から復帰する必要が生じる。この場合に、もし最低電力状態への遷移を許可すると、その機器は省電力状態から最低電力状態へ遷移する動作と、逆に、最低電力状態から省電力状態や待機状態に復帰する動作とを定期的に繰り返すことになるため、画像形成装置の機械寿命を悪化させる要因となる。この実施形態においては、最低電力状態への遷移による消費電力の低減効果より、画像形成装置の機械寿命を長期にわたり維持する効果を優先させることが望ましい。従って、定期的に外部と通信を行うことが必要な機器（無線ＬＡＮデバイスやＵＳＢデバイス等）が接続されている場合には、ステップ４０４の判定結果を、最低電力状態への遷移を行わない設定（最低電力遷移不可）とする。
【００５２】
ステップ４０４の判定結果が最低電力状態への遷移不可である場合、コントローラ１０７は、最低電力遷移不可をユーザに通知して（ステップ４０５）、図４の移行処理手順を終了する。ステップ４０５において、ユーザに対し最低電力遷移不可を通知する方法としては、電子メールで機器管理者へ通知する方法、アラーム音を鳴らしてユーザに注意を促す方法、操作表示部１０３の画面に表示する方法等を用いることができる。これにより、ユーザ又は機器管理者は、最低電力状態への移行不可要因を回避することができる。
【００５３】
一方、機器構成情報に基くステップ４０４の判定結果が最低電力状態へ遷移可能である場合、コントローラ１０７は、画像形成装置１００のアプリケーション層やサービス層の各プログラムの動作状態と比較して最低電力状態への遷移条件を調停し、遷移条件調停が完了しているか否かを判定する（ステップ４０６）。例えば、アプリケーションＡ１０１がファックスアプリケーションとして動作しており、所定の時間後に画像データ送信の予約が設定されている場合には、このアプリケーションＡ１０１による画像データ送信が終了するまで、最低電力状態への遷移開始を待つ必要がある。このように、コントローラ１０７は、画像形成装置１００のアプリケーション層やサービス層の各プログラムの動作状態との調停を行って、遷移条件調停が完了していない場合には、所定の時間後に、上記のステップ４０６の判定を再度行う。上記のステップ４０６の判定は、遷移条件調停が完了するまで繰り返し実行される。
【００５４】
ステップ４０６の判定結果が、最低電力状態へ移行するための遷移条件調停が完了したことを示す場合、コントローラ１０７は、フィルター１１７及びドライバ１１６をアクティブ状態に設定（有効化）して、画像形成装置１００の最低電力状態への移行準備を完了する（ステップ４０８）。その後、画像形成装置１００は、フィルター１１７及びドライバ１１６をアクティブ状態に設定したまま、コントローラ１０７への電力供給を停止した最低電力状態へ移行する。前述したように、この状態で、画像形成装置１００内のサブシステムは、フィルター１１７及びドライバ１１６と共に、図６の状態遷移要因Ｆ３が発生しているか否かを監視している。
【００５５】
図５は、図１の画像形成装置を最低電力状態から省電力状態又は待機状態へ復帰させる際に実行される復帰処理手順を説明するためのフローチャートである。
【００５６】
図５に示した復帰処理手順では、最低電力状態時に、フィルター１１７に登録された通信プロトコルによる通信（パケット）が検知されると、フィルター１１７は、画像形成装置１００内のサブシステムに対し、最低電力状態から復帰するトリガーを通知する。上記のサブシステムは、フィルター１１７から復帰トリガーを受け取る（ステップ５０１）。
【００５７】
上記のサブシステムは、フィルター１１７から受け取った復帰トリガーが、最低電力状態からの復帰条件を満足させる、所定の通信プロトコルによるパケットを示すか否かを判定する（ステップ５０２）。
【００５８】
ステップ５０２の判定結果が所定の通信プロトコルによるパケットでないことを示す場合、画像形成装置１００を最低電力状態から復帰させるべきでないので、図５の復帰処理手順を直ちに終了する。
【００５９】
一方、ステップ５０２の判定結果が所定の通信プロトコルによるパケットであることを示す場合、上記のサブシステムは、そのパケットのヘッダから取得したＩＯポート番号に基づき、フィルター１１７で検知した通信パケットが外部機器から画像形成装置１００への画像形成要求（印刷イベント）であるか否かを判定する（ステップ５０３）。ここで、フィルター１１７で検知する通信パケットが印刷イベントである場合と、他のネットワークイベントである場合とで、画像形成装置１００内の異なるＩＯポートが割り当てられている。したがって、上記のサブシステムは、検知した通信パケットのヘッダに含まれるＩＯポート番号によって、ステップ５０３の判定を行うことができる。
【００６０】
ステップ５０３の判定結果が印刷イベントでない場合、画像形成装置１００における画像形成動作を直ちに行う必要はなく、検知した通信パケットに対する応答動作（ネットワーク応答）を実行するのみでよい。この場合、上記のサブシステムは、コントローラ１０７への電力供給を再開（電源ＯＮ）し、コントローラ１０７の復帰処理を行ってから、エンジン制御部１０９への電力供給の再開（電源ＯＮ）とエンジン制御部１０９やエンジン１１４−１１５の復帰処理を行う（ステップ５０３−５０６）。したがって、この際の消費電力を比較的低く抑えることができる。
【００６１】
一方、ステップ５０３の判定結果が印刷イベントである場合、画像形成装置１００における画像形成動作を直ちに行う必要があるため、上記のサブシステムは、コントローラ１０７及びエンジン制御部１０９への電力供給を同時に再開（電源ＯＮ）し、コントローラ１０７の復帰処理を行ってから、エンジン制御部１０９やエンジン１１４−１１５の復帰処理を行う（ステップ５０７−５０９）。したがって、画像形成動作が可能な状態に復帰するまでの時間が比較的少なくなる一方、この際の消費電力が比較的高くなる。
【００６２】
次に、コントローラ１０７は、フィルター１１７で検知した通信パケットの内容に応じて、画像形成装置１００の省電力復帰処理を行う（ステップ５１０）。例えば、印刷イベントである場合、コントローラ１０７は、ＨＤＤ制御部１１０、操作表示部制御部１０８、操作表示部１０３等の復帰処理を順に行って、画像形成装置１００を印刷動作可能な待機状態に復帰させる。この復帰処理が完了すると、図５の復帰処理手順を終了する。
【００６３】
また、前述したように、最低電力状態時に、画像形成装置１００の操作表示部１０３に対しユーザの入力操作があった場合にも、上記のサブシステム及びコントローラ１０７は、画像形成装置１００を最低電力状態から復帰させる復帰処理を行う。
【００６４】
前述した実施形態での各処理は、プログラムにより構成し、本発明の画像形成装置が備えるＣＰＵに実行させることができる。また、そのプログラムは、ＦＤ、ＣＤＲＯＭ、ＤＶＤ等の記録媒体に格納して提供することができ、また、ネットワークを介してデジタル情報により提供することもできる。
【００６５】
前述した本発明の実施形態によれば、ユーザが操作を行う操作表示機能、印刷を行う印刷機能、外部との通信を行う通信機能、画像や情報を一時的に保存する記録媒体と記録媒体制御機能を有した画像形成装置において、前記機能とは独立した電源供給がされる機器外部からの通信をフィルタリングするフィルタリング機能、画像形成装置の操作を検知する操作部検知機能を備えて、低電力効果を高めるため主制御機能部の電源をＯＦＦ状態にした最低電力状態へ移行しても、画像形成装置へのアクセスの有無を判定して電源ＯＦＦの状態から印刷可能な状態へ画像形成装置のシステムを復帰させることができるので、より省電力効果が高い電力状態をユーザに提供することができる。
【００６６】
また、前述した実施形態によれば、自発的に画像形成装置の機器構成と接続機器の状態に基づいて、主制御部（コントローラ１０７）への電力供給を停止する最低電力状態への移行の可否を判定することとしているので、ユーザが省電力に関する詳細な設定をすることなく、ユーザが期待している最低電力状態に機器を保つことができる。
【００６７】
また、本発明の実施形態によれば、主制御部への電力供給を停止する最低電力状態への移行ができない場合に、画像形成装置の状態をユーザにメールで通知することができるので、主制御部への電力供給を停止（ＯＦＦ）する最低電力状態への移行不可要因をユーザが回避することが可能となる。
【００６８】
また、本発明の実施形態によれば、主制御部への電力供給を停止する最低電力状態への移行ができない場合に、画像形成装置の状態をユーザが操作を行う操作表示機能に表示して通知することができるので、主制御部への電力供給を停止する最低電力状態への移行不可要因をユーザが回避することが可能となる。
【００６９】
また、本発明の実施形態によれば、ユーザが画像形成装置の主制御部への電力供給を停止する最低電力状態へ移行することを許可又は禁止する操作設定を行うことができるので、ユーザの利便性を向上させることができる。
【図面の簡単な説明】
【００７０】
【図１】本発明の一実施形態に係る画像形成装置の構成を示すブロック図である。
【図２】図１の画像形成装置における操作表示部の構成を示す図である。
【図３】操作表示部に表示される省電力動作設定画面の一例を示す図である。
【図４】図１の画像形成装置を省電力状態から最低電力状態へ移行させる際に実行される移行処理手順を説明するためのフローチャートである。
【図５】図１の画像形成装置を最低電力状態から省電力状態へ復帰させる際に実行される復帰処理手順を説明するためのフローチャートである。
【図６】図１の画像形成装置の動作状態を遷移させる状態遷移条件を説明するための図である。
【符号の説明】
【００７１】
１００  画像形成装置
１０１  アプリケーションＡ
１０２  アプリケーションＢ
１０３  操作表示部
１０４  ＡＰＩ
１０５  ライブラリ
１０６、１１１、１１３、１１６  ドライバ
１０７  コントローラ（主制御部）
１０８  操作表示部制御部
１０９  エンジン制御部
１１０  ＨＤＤ制御部
１１２  ＨＤＤ
１１４  プロッタエンジン
１１５  スキャナエンジン
１１７  フィルター
１５０  主制御機能部
【図１】
2007334304.tif 000003
【図２】
2007334304.tif 000004
【図３】
2007334304.tif 000005
【図４】
2007334304.tif 000006
【図５】
2007334304.tif 000007
【図６】
2007334304.tif 000008